【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
動物実験用の動物を収容するための、複数のケージレベルバリヤ型のケージへ水を送出するための方法であって、この方法が、
動物実験のための複数のケージレベルバリヤ型ケージを実験施設の現場に提供する段階と、
実験施設現場の清潔な側に、バッグ充填装置を提供する段階と、
複数のバッグに清潔な側で水を充填する段階と、
ケージレベルバリヤ型ケージにおいて使用するための水バッグを清潔な側で密封する段階と、
前記ケージに収容された１又は複数の動物に水を供給するための密封された水バッグの中に弁を挿入する段階と、
を備えていることを特徴とする方法。
【請求項２】
水を充填すべきバッグを実験施設現場に提供する段階をさらに備えている請求項１記載の方法。
【請求項３】
バッグ充填装置は、水に添加物を加えることができる請求項１記載の方法。
【請求項４】
密封された水バッグのひとつと共に併用される、使い捨ての流体弁を提供する段階をさらに備えていることを特徴とする請求項１記載の方法。
【請求項５】
使い捨て流体弁は、プラスチックから形成されている請求項４記載の方法。
【請求項６】
前記方法がさらに、
密封された水バッグのひとつと共に併用される使い捨ての流体送出弁組立体を提供する段階であって、この弁組立体が、
流体チャネルを貫設されてなる上方部材と、
フランジ部材と、これに貫設されたベース流体チャネルとを有するベースであって、上方部材に合致して結合されるべくデザインされたベースと、を備え、
流体送出弁組立体は、流体バッグに結合されるべく適合しており、ケージレベルバリヤ型ケージに水を提供する請求項１記載の方法。
【請求項７】
動物実験用の動物を収容するための、実験施設現場に配置された、複数のケージレベルバリヤ型のケージへ水を送出するための方法であって、この方法が、
実験施設現場の清潔な側に、バッグ充填装置を配置する段階と、
複数のバッグに清潔な側で水を充填する段階と、
水バッグを清潔な側で密封する段階と、
ケージレベルバリヤ型ケージに収容された１又は複数の動物に水を供給するための密封された水バッグの中に弁を挿入する段階と、
を備えていることを特徴とする方法。
【請求項８】
水を充填すべきバッグを実験施設現場に提供する段階をさらに備えている請求項７記載の方法。
【請求項９】
密封された水バッグのひとつと共に併用される、使い捨ての流体弁を提供する段階をさらに備えている請求項７記載の方法。
【請求項１０】
使い捨て流体弁は、プラスチックから形成されている請求項９記載の方法。
【請求項１１】
実験施設現場に配置される複数のケージレベルバリヤ型ケージを備えてなる、換気型ラック／ケージ装置を提供する段階をさらに備えている請求項７記載の方法。
【請求項１２】
実験施設現場における洗い場の清潔な側に、密封された水バッグを搬送するためのコンベア装置を提供する段階をさらに備えている請求項７記載の方法。
【請求項１３】
密封された水バッグを収容して搬送するための１又は複数の運搬箱を提供する段階をさらに備えていることを特徴とする請求項７記載の方法。
【請求項１４】
洗い場における清潔な側から、ケージレベルバリヤ型ケージが収容されている実験室へと、複数の運搬箱を搬送するための運搬台車を提供する段階をさらに備えている請求項１３記載の方法。
【請求項１５】
密封された水バッグが収容された運搬箱を、コンベア装置から運搬台車へと移送するための運搬箱コンベアプラットホームを提供する段階をさらに備えている請求項１４記載の方法。
【請求項１６】
ケージレベルバリヤ型ケージから取り外された後の密封された水バッグを圧縮するための圧縮装置を提供する段階をさらに備えている請求項７記載の方法。
【請求項１７】
動物実験用の動物を収容するための、実験施設現場に配置された、複数のケージレベルバリヤ型のケージへ水を送出するための装置であって、この装置が、
実験施設現場の清潔な側で充填された水バッグを提供するように構成されて配置されたバッグ充填装置、を備え、水バッグは、ケージレベルバリヤ型ケージにおいて密封されて使用されるように構成されて設計され、
前記ケージに収容された１又は複数の動物に水を供給するための水バッグの中に挿入可能な複数の弁を備えていることを特徴とする装置。
【請求項１８】
実験施設現場に提供される、水を充填すべきバッグをさらに備えている請求項１７記載の装置。
【請求項１９】
実験施設現場において、密封された水バッグのひとつと共に併用される、使い捨ての流体弁をさらに備えている請求項１７記載の装置。
【請求項２０】
使い捨て流体弁は、プラスチックから形成されている請求項１９記載の装置。
【請求項２１】
実験施設現場に配置される複数のケージレベルバリヤ型ケージを備えてなる、換気型ラック／ケージ装置をさらに備えている請求項１７記載の装置。
【請求項２２】
実験施設現場における洗い場の清潔な側に、密封された水バッグを搬送するためのコンベア装置をさらに備えている請求項１７記載の装置。
【請求項２３】
密封された水バッグを収容して搬送するための１又は複数の運搬箱をさらに備えている請求項１７記載の装置。
【請求項２４】
洗い場における清潔な側から、ケージレベルバリヤ型ケージが収容されている実験室へと、複数の運搬箱を搬送するための運搬台車をさらに備えている請求項２３記載の装置。
【請求項２５】
密封された水バッグを、コンベア装置から運搬台車へと移送するための運搬箱コンベアプラットホームをさらに備えている請求項２４記載の装置。
【請求項２６】
ケージレベルバリヤ型ケージから取り外された後の密封された水バッグを圧縮するための圧縮装置を提供する段階をさらに備えている請求項１７記載の装置。
【請求項２７】
動物実験用の動物を収容するための、複数のケージレベルバリヤ型のケージへ流体を送出するための方法であって、
実験施設現場の清潔な側で１又は複数の流体を複数のバッグに充填する段階と、
バッグを清潔な側で密封する段階と、
清潔な側でバッグの中に飲水用の弁を挿入する段階と、
を備えていることを特徴とする方法。
【請求項２８】
清潔な側は、実験研究室を含む請求項２７記載の方法。
【請求項２９】
飲水用の弁をバッグの中に挿入する段階は、バッグを密封する請求項２７記載の方法。
【請求項３０】
バッグは飲水用の弁を挿入する前に密封される請求項２７記載の方法。
【請求項３１】
動物実験用の動物を収容するための、複数のケージレベルバリヤ型のケージへ流体を送出するための方法であって、
動物実験のための複数のケージレベルバリヤ型ケージを実験施設の現場に提供する段階と、
実験施設現場の清潔な側に、ケージレベルバリヤ型のケージにおいて使用するための１又は複数の流体のバッグを提供する段階と、
飲水用の弁を実験施設現場の清潔な側で流体の密封されたバッグに取り付ける段階と、
を備え、流体は飲水用の弁を流れることができることを特徴とする方法。
【請求項３２】
飲水用の弁を取り付ける段階は、流体の密封されたバッグの中に弁を挿入する段階を含む請求項３１記載の方法。
【請求項３３】
さらに、流体の密封されたバッグを穿刺する段階を含む請求項３１記載の方法。
【請求項３４】
動物実験用の動物を収容するための、実験施設現場に配置された複数のケージレベルバリヤ型のケージへ流体を送出するための装置であって、
実験施設現場で配置可能な複数のケージレベルバリヤ型のケージと、
ケージレベルバリヤ型のケージにおいて使用するための１又は複数の流体のバッグと、
清潔な側で流体のバッグの中に挿入可能な１又は複数の弁と、
を備え、弁が挿入されているバッグは密封されていることを特徴とする装置。